(57)【要約】【課題】      本発明は、商品情報を追加や変更する際に、誤って入力することがない商品管理システムを提供することを目的とする。  【解決手段】  商品リスト５ｂと商品変更日付部５ａとを記憶した情報記憶装置２ａと、プリンタ３，４と、を通信回線Ｎにより接続された商品管理システム１において、  プリンタ３には、商品変更日付部５ｂの変更日付を要求する日付要求手段と、  プリンタに記憶する書換日付と、変更日付とを比較する日付比較手段と、を備え、  この日付比較手段の結果により異日と判断した場合には、商品リスト５ｂを取り込む商品リスト取込手段と、取り込まれた商品リスト５ｂを前記商品印字リストに書き換えする書換手段と、書換日付を商品印字リストが書き換えた日付に書き換えする日付書換手段と、を備えたことを特徴とする商品管理システムにある。  【選択図】    図１
2007265338.tif 000002
【特許請求の範囲】
【請求項１】
商品情報を有した商品リストおよび前記商品情報を変更された変更日付を有する商品変更日付部を記憶した情報記憶装置と、プリンタと、を通信回線により接続された商品管理システムにおいて、
前記プリンタには、印字媒体に印字する商品情報を有した商品印字リストと、この商品印字リストを書き換えた書換日付を有する書換日付部と、を備え、
前記商品変更日付部の変更日付を要求する日付要求手段と、
前記書換日付と、変更日付と、を比較する日付比較手段と、を備え、
この日付比較手段の結果により異日と判断した場合には、前記情報記憶部から商品リストを取り込む商品リスト取込手段と、
前記取り込まれた商品リストを前記商品印字リストに書き換えする書換手段と、
前記書換日付を前記商品印字リストが書き換えした日付に書き換えする日付書換手段と、を備えたことを特徴とする商品管理システム。
【請求項２】
前記情報記憶装置に前記商品リストおよび商品変更日付部を有した商品情報エリアを商品分類毎に複数の商品情報エリアからなる商品情報エリア群を設け、
前記プリンタは、前記商品情報エリア群から予め設定した商品情報エリアに商品変更日付を要求することを特徴とする請求項１記載の商品管理システム。
【発明の詳細な説明】
【技術分野】
【０００１】
本発明は、印字媒体に印字される商品情報を管理する商品管理システムに関し、特にデパート、スーパーマーケットなどで使用される商品管理システムに関する。
【背景技術】
【０００２】
一般に、スーパーマーケットの生鮮食品、日配品および衣料等の各部門には、各部門に少なくとも1台のプリンタが設置され、商品名、価格などの商品情報を印字した商品ラベルあるいは商品タグなどに印字して商品に付されている。
【０００３】
このように使用されるプリンタは、各部門に対応する商品の商品情報を内部に記憶しており、価格の変更する場合には、プリンタのオペレータがプリンタに備えたキーボードより手入力して価格を修正するので、価格を間違えて入力したりすることがあった。
特に、操作に不慣れなオペレータが操作する場合や、急いでいる場合には入力ミスが発生する。
【０００４】
また、不定期に新たに追加される商品の商品情報を入力しなければならないので、商品ラベルや商品タグの印字発行とともに、商品情報の変更または追加の入力作業が発生しオペレータの作業が煩雑になる問題がある。
【０００５】
【特許文献１】特開平５−６４９３７号公報
【発明の開示】
【発明が解決しようとする課題】
【０００６】
本発明は、上記事情に鑑みてなされたもので、商品情報を追加あるいは変更する際に、誤って入力することがない商品管理システムを提供することを目的とする。
また、商品情報を追加あるいは変更する際に、簡易な操作で商品情報を追加や変更することができ作業性を向上した商品管理システムを提供する事を目的とする。
【課題を解決するための手段】
【０００７】
本発明は、商品情報を容易に書き換えすることに着目したので、請求項１記載の発明の要旨は、商品情報を有した商品リストおよび前記商品情報を変更された変更日付を有する商品変更日付部を記憶した情報記憶装置と、プリンタと、を通信回線により接続された商品管理システムにおいて、前記プリンタには、印字媒体に印字する商品情報を有した商品印字リストと、この商品印字リストを書き換えた書換日付を有する書換日付部と、を備え、前記商品変更日付部の変更日付を要求する日付要求手段と、前記書換日付と、変更日付と、を比較する日付比較手段と、を備え、この日付比較手段の結果により異日と判断した場合には、前記情報記憶部から商品リストを取り込む商品リスト取込手段と、前記取り込まれた商品リストを前記商品印字リストに書き換えする書換手段と、
前記書換日付を前記商品印字リストが書き換えした日付に書き換えする日付書換手段と、を備えたことを特徴とする商品管理システムにある。
また請求項２記載の発明の要旨は、前記情報記憶装置に前記商品リストおよび商品変更日付部を有した商品情報エリアを商品分類毎に複数の商品情報エリアからなる商品情報エリア群を設け、前記プリンタは、前記商品情報エリア群から予め設定した商品情報エリアに商品変更日付を要求することを特徴とする請求項１記載の商品管理システムにある。
【発明の効果】
【０００８】
本発明の商品管理システムは、商品情報を効率的に書き換えすることができるので、最新の商品情報を印字発行することができ印字発行の作業効率が向上する。
また、プリンタのオペレータの作業負担が軽減するとともに、入力ミスを防止することができるので誤った印字発行を防止することができる。
【発明を実施するための最良の形態】
【０００９】
本発明の実施の形態を図１ないし図５に基づいて説明する。
図１は本発明の商品管理システムの一例を示した全体の概略構成図であり、図２はプリンタの概略構成図であり、図３はラベルプリンタの制御部の一例を示したブロック図であり、図４はプリンタのメモリカードに記憶された商品印字リストおよび書換日付部の一例を示した説明図であり、図５は、商品管理システムのフローチャートを説明する説明図である。
【００１０】
商品管理システム１は主に、情報記憶装置としてのホストコンピュータ２（以下適宜、「ホスト」という）と、プリンタ３，４とから構成され、ホスト２とプリンタ３，４は通信回線Ｎによって接続されている。
ホスト２側には、情報記憶部２ａと、図示しないが表示画面部および入力部と、が設けられている。表示画面部は、文字・記号・グラフィックなどを表示する液晶表示画面が設けられ、入力部は文字・記号などを入力するキーボードが設けられている。
情報記憶部２ａは、例えばスーパーマーケットの部門ごとに区分された商品情報エリアが設けられている。この実施の形態では、食品用の商品情報エリア５と、衣料用の商品情報エリア６が設けられている。
例えば、食品用の商品情報エリア５には、商品変更日付部５ａと、商品リスト５ｂを記憶している。商品変更日付部５ａは、後述する商品リスト５ｂの食品の商品情報に変更・追加などの作業が行われた時の日付が記憶され、商品情報が変更・追加さるごとに、修正・追加された日付に変更することができる。
商品リスト５ｂは、呼出コード、食品の商品名、価格などの各商品情報が複数記憶されている。
【００１１】
また、衣料用の商品情報エリア６も同様に、図示しないが商品変更日付部と、商品情報としての衣料に関する商品リストを記憶し、商品変更日付部６ａは、商品リストの衣料の商品情報に変更・追加などの作業が行われた時の日付が記憶され、商品情報が変更・追加さるごとに、変更・追加された日付に変更することができる。
【００１２】
プリンタは、３，４は、ほぼ同一の構成を有しているので、プリンタ３について説明し、プリンタ４の説明は省略する。また、同一の構成については同一の符号を付し、説明を省略する。
尚、プリンタ３は食品部門に配置され、プリンタ４は衣料部門に配置された例で説明する。また、各プリンタ３，４には固有のコードが付されており、ホスト２と通信するときに、この固有のコードがホスト２に送られて、所定の商品情報エリアにアクセスすることができる。
この実施の形態においてプリンタ３は、食品用の商品情報エリア５にアクセスすることができ、プリンタ４は衣料用の商品情報エリアにアクセスすることができる。
【００１３】
プリンタ３は、プリンタ本体部７と、操作表示部８と備えている。プリンタ本体部７は後述するが機構部などを備え、操作表示部８には、液晶表示部４０と操作部４１とが設けられている。
液晶表示部４０には、商品情報などを表示することができるようにしてあり、操作部４１には、「ｙｅｓ」キー４１ａ、「ｎｏ」キー４１ｂ、数字の「０」から「９」を備えたテンキー４１ｃなどが設けられている。また、プリンタ本体７には、ホスト２に接続する通信インタフェース９が設けられている。
【００１４】
プリンタ本体７には主に、用紙供給部１０と、ピッチ検出部１１と、印字部１２と、剥離部１３と、巻取部１４と、制御部１５と、を有している。
用紙供給部１０には、帯状台紙５０に所定の間隔で複数のラベル５１を仮着されたラベル連続体５２をロール状にしたラベル連続体５２を回転可能に保持する用紙供給軸１６を設け、案内ローラ１７を介して後述する印字部１２に繰出し可能にしてある。
ピッチ検出部１１は、所定の光を出射する図示せぬ発光部と発光部から出射された光を帯状台紙５０からの反射光を受光し、受光した光の強度（単位時間当たりの受光量）に対応する電気信号を出力する図示せぬ受光部とからなり、帯状台紙５０の裏面側に発光部と受光部を配し、帯状台紙５０の裏面に印刷等によって形成された図示せぬ基準マーク（黒色の矩形のマーク）を、受光部の受光量に基づいて検出する光反射センサ１８がラベル連続体５２の搬送路の下方に配置されている。
光反射センサ１８は、基準のマークの検出結果に基づいて、ラベル５１の印字基準位置などを設定することができるように後述する制御部１５で制御するようにしてある。
尚、この実施の形態のラベル５１は、感熱により発色する感熱発色層が形成されたラベル５１（サーマル紙）で説明する。
【００１５】
印字部１２は、プラテンローラ１９とサーマルヘッド２０が設けられるとともに、サーマルヘッド２０はプラテンローラ１９に対し接離自在に設けられている。また、プラテンローラ１９は、タイミングベルト（図示せず）を介してステッピングモータ２１に接続され、ステッピングモータ２１の駆動に伴って、プラテンローラ１９が回転自在に駆動するようにしてある。
また、プラテンローラ１９とサーマルヘッド２０とにより挟持されたラベル連続体５２は、制御部１５からの印字信号によりプラテンローラ１９が駆動するとともに、サーマルヘッド２０が選択的に発熱体（図示せず）を発熱させることにより、ラベル５１の感熱発色層を発色させて文字・記号やバーコードなど印字するようにしてある。
剥離部１３は、その先端が鋭角に形成された剥離板２２を有し、移送されるラベル連続体５２の帯状台紙５０を剥離板２２の先端で折り返し、剛性のあるラベル５１を帯状台紙５０から剥離されるようにしてある。
巻取部１４は、剥離板２２でラベル５１を剥離した帯状台紙５０を巻き取る巻取軸２３を備えている。この巻取軸２３は、図示しない無端状の丸ベルト（図示せず）を介してＤＣモータ３２に接続され、ＤＣモータ３２の駆動により、巻取軸２３が回転駆動して帯状台紙５０を巻き取れるようにしてある。
尚、剥離板２２と巻取軸２３との間には帯状台紙５０を案内する案内ローラ２４が設けられている。
【００１６】
図３は、図１の制御部１５の構成例を示すブロック図である。
同図に示すように制御部１５は、プリンタ制御プログラム、各種固定データ、制御テーブルデータ、ＩＯ定数、モータ制御プログラム、通信制御プログラム等を記憶するＲＯＭ（ｒｅａｄ  ｏｎｌｙ  ｍｅｍｏｒｙ）２６と、ＲＯＭ２６に記憶されている各種制御プログラムに従って動作し、各部を制御するＣＰＵ（ｃｅｎｔｒａｌ  ｐｒｏｃｅｓｓｉｎｇ  ｕｎｉｔ）２５と、ＣＰＵ２５が動作する上で必要となる各種データを記憶するワークエリア、および印字データが展開される印字展開エリアを有するＲＡＭ（ｒａｎｄｏｍ  ａｃｃｅｓｓ  ｍｅｍｏｒｙ）と２７、プラテンローラ１９を回転させることにより、ラベル連続体５２を搬送駆動するステッピングモータ２１と、ステッピングモータ２１を制御するモータ制御回路２８と、ＣＰＵ２５の制御下、ＲＡＭ２７の印字展開エリアに展開された商品情報としての文字、記号、およびバーコードなどの印字データに対応する制御信号を生成し、生成した制御信号をサーマルヘッド２０に供給して印字動作を行わせるヘッド制御回路２９と、ＣＰＵ２５の制御下、光反射センサ１８の図示せぬ発光部を制御し、光を出射させるとともに、図示せぬ受光部から出力される電気信号を受け取り、ディジタルのデータに変換して印字基準位置としてＣＰＵ２５に供給するセンサ制御回路３０と、ＣＰＵ２５の制御下、日付情報を管理する時計回路３１と、巻取軸２３を回転させることにより、帯状台紙５０を巻き取るＤＣモータ３２と、ＤＣモータ３２を制御する巻取制御回路３３と、ＣＰＵ２５の制御下、ホスト２に通信制御プログラムを供給して、ホスト２から商品更新日付、商品リスト５ｂ、を受信する通信ＩＦ（インタフェース）９と、ＣＰＵ２５の制御下、操作部４１から入力された信号をＩＦ（インタフェース）３４を介してＣＰＵ２５に供給し、ＣＰＵ２５からＩＦ（インタフェース）３４を介して表示データを表示する液晶表示部４０と、ＣＰＵ２５の制御下、ＩＦ（インタフェース）３５を介してホスト２から送信されてきた商品更新日付、商品リスト５ｂを書き込むメモリカード３６と、を備えている。
【００１７】
また、メモリカード３６には、書換日付部３７と、商品印字リスト３８と、を備えている。
書換日付部３７は、ホスト２から送られてきた商品更新日付を記憶することができ、ホスト２から商品リスト５ｂが送られてくる都度、日付を書換することができる。
【００１８】
商品印字リスト３８には、呼出コード欄３８ａ、商品名欄３８ｂ、価格欄３８ｃ、商品コード欄３８ｄ、フォーマットコード欄３８ｅなどが設けられている。
呼出コード欄３８ａは、商品を呼び出すコードが登録されるようにしてあり、商品名欄３８ｂは、商品の商品名が登録されるようにしてあり、価格欄３８ｃは、商品に対する価格が登録され、商品コード欄３８ｄは、バーコード情報としての商品の固有のコードが登録され、フォーマットコード欄３８ｅは、印字レイアウトが登録されるようにしてある。
【００１９】
例えば、呼出コード欄３８ａには「１０１」「１０２」・・・などの情報が登録されている。商品名欄３８ｂには、「りんご」、「みかん」・・・が登録され、価格欄３８ｃには、「１２０円」、「３５０円」・・・登録され、商品コード欄３８ｄには、「０１２・・・６」、「０１２・・・９」などのバーコード情報が登録され、フォーマットコード欄３８ｅには、「０１」「０５」などの印字レイアウトが登録されてある。
このように登録されている商品印字リスト３８は、操作部４１のテンキー４１ｃから呼出コード「１０１」を入力すると、商品印字リスト３８から呼出コード「１０１」に対応する商品情報（商品名「りんご」、価格「１２０円」、商品コード「０１２・・・６」、フォーマットコード「０１」）が呼び出されるようにすることができ。
呼び出された商品情報は、フォーマット「０１」の印字レイアウトにより商品名、価格、バーコードなどがラベル５１に印字されるようにしてある。
このように、商品印字リスト３８から所望の印字する商品情報を呼び出すことができる。また、商品印字リスト３８は、ホスト２から送られてくる商品リスト５ｂに書き換えすることができるようにしてある。
【００２０】
次に、図５に基づいて商品管理システムのフローチャートについて説明する。
オペレータ（図示せず）がプリンタ３の電源を投入すると、液晶画面部４０にホスト２にある商品変更日付を確認するか否かを問い合わせ画面が表示する（ステップＳ１）。
商品変更日付を確認する場合には、「ｙｅｓ」キー４１ａを押し、ステップＳ２に進む、また確認しない場合には「ｎｏ」キー４１ｂを押すことにより、このフローチャートを終了し商品情報を印字する印字発行モードに切り替わることができる。
【００２１】
ステップＳ２では、プリンタ３の制御部１５からホスト２の商品変更日付部５ａに商品変更日付を要求することができる（日付要求手段）。ホスト２は、プリンタ３からの商品変更日付の要求に対して、プリンタ３の固有のコードを判断して情報記憶部２ａのプリンタ３の固有のコードに対応する食品用の商品情報エリア５に記憶してある商品変更日付部５ａの商品変更日付をプリンタ３に送信し、プリンタ３は商品変更日付を取り込みステップＳ３に進む（取込手段）。
ステップＳ３では、プリンタ３のメモリカード３６に記憶されている書換日付部３７に記憶されている書換日付と、ホスト２から取り込んだ商品変更日付とを比較する（日付比較手段）。
比較した結果、同一の日付と判断した場合には、このフローチャートを終了し商品情報を印字する印字発行モードに切り替わることができる。
【００２２】
また、ホスト２から取り込まれた商品変更日付がプリンタ３のメモリカード３６に記憶された書換日付より新しいと判断（異日）した場合にはステップＳ４に進む。
ステップＳ４では、液晶表示部４０に「商品リスト転送？」の表示がされ、ホスト２の食品用の商品情報エリア５にある商品リスト５ｂの全ての商品情報をプリンタ３に送られるとともに、プリンタ３にある商品印字リスト３８に書き換えを行い、最新の商品印字リスト３８がメモリカード３６に書き換えられて記憶されステップＳ５に進む。
ステップＳ５では、商品印字リスト３８が書き換えた日付がメモリカード３６の書換日付部３７に書き換えて終了する。
尚、商品印字リスト３８はメモリカード３６に記憶した例で説明したが、プリンタ３の内部に設けた不揮発性メモリー（図示せず）などに記憶することができる。
【００２３】
また、操作部４１により文字や数字などをキー操作するように説明したが、液晶画面部をタッチパネルにより構成し、タッチパネルで入力するようにしてもよい。
尚、この実施の形態では、食品部門のプリンタについて説明したが、衣料部門についても同様に、衣料部門に設置された固有のコードを有したプリンタは、ホストの衣料用の商品情報エリアにアクセスして日付が異なる場合に、衣料の商品リスト６ｂを全て転送することができる。
【００２４】
この実施の形態では、各構成部材の数、位置、形状等は上記実施の形態に限定されず、本発明を実施する上で好適な数、位置、形状等にすることができる。
なお、本発明が上記各実施の形態に限定されず、本発明の技術思想の範囲内において、実施の形態は適宜変更され得ることは明らかである。
【図面の簡単な説明】
【００２５】
【図１】図１は本発明の商品管理システムの一例を示した全体の概略構成図である。
【図２】同上、プリンタの概略構成図である。
【図３】同上、プリンタの制御部の一例を示したブロック図である。
【図４】同上、プリンタのメモリカードに記憶された商品印字リストおよび書換日付部の一例を示した説明図である。
【図５】同上、商品管理システムのフローチャートを説明する説明図である。
【符号の説明】
【００２６】
１      商品管理システム
２      ホスト
３      プリンタ（食品用）
４      プリンタ（衣料用）
５      食品用の商品情報エリア
５ａ    商品変更日付部
５ｂ    商品リスト
６      衣料用の商品情報エリア
７      プリンタ本体
８      操作表示部
９      通信インタフェース
１０      用紙供給部
１２      印字部
１３      剥離部
１４      巻取部
１５      制御部
３６      メモリカード
３７      書換日付部
３８      商品印字リスト
【図１】
2007265338.tif 000003
【図２】
2007265338.tif 000004
【図３】
2007265338.tif 000005
【図４】
2007265338.tif 000006
【図５】
2007265338.tif 000007